(57)【要約】【課題】  遊技者の手にかかる負担を軽くし、遊技中の疲労を軽減させる。【解決手段】  軸部２０は、下扉６ｂの前面に固定される。回動部２１は、軸部２０が回動中心となるように軸部２０に回動自在に組み付けられる。把手部２２前面には凹部２２ｂが形成されている。把手部２２は、回動部２１の前方にて軸部２０に固着される。また、把手部２２には、滑らかな傾斜面２３ａを有する手載せ部材２３がヒンジ２４により回動自在に取り付けられる。手載せ部材２３には、凸部２３ｂが形成されている。この凸部２３ｂが把手部２２の凹部２２ｂに嵌合することにより手載せ部材２３は把手部２２に係止される。これにより、手載せ部材２３に上方から所定量以上の荷重負荷がかかると、手載せ部材２３はヒンジ２４を軸にして回転し、手載せ部２３にかかった過大な荷重負荷が下方へ解放される。【選択図】        図２
2005052561.tif 000002
【特許請求の範囲】
【請求項１】
遊技領域を有する遊技盤と、この遊技盤に対して遊技球を発射する遊技球発射装置と、この遊技球発射装置を作動させるために操作する発射操作部材とを有する弾球遊技機において、
前記発射操作部材に、遊技者の手の少なくとも一部、または手首から腕にかけた部分の少なくとも一部を載せながら発射操作部材の操作を行うことを可能にする手載せ部材を設けるとともに、前記手載せ部材に所定量以上の加重負荷が与えられた場合には、手載せ部材を加重負荷が与えられている方向に退避移動させる退避移動機構を設けることを特徴とする弾球遊技機。
【請求項２】
前記手載せ部材は、手首近傍を保持するように形成されていることを特徴とする請求項１記載の弾球遊技機。
【請求項３】
前記発射操作部材を、軸部と、この軸部を回動中心として回動し、その回動具合に応じて遊技球発射装置の発射力を可変する回動部と、この回動部の前記軸部からの抜けを防止し、且つ遊技用把手として機能する把手部とから構成し、前記把手部または前記軸部に、前記手載せ部材および前記退避移動機構を設けたことを特徴とする請求項１または２記載の弾球遊技機。
【請求項４】
前記手載せ部材を着脱可能に設けたことを特徴とする請求項１ないし３のいずれか１つに記載の弾球遊技機。
【発明の詳細な説明】
【技術分野】
【０００１】
本発明は、パチンコ店等の遊技場に設置して使用される弾球遊技機に関するものである。
【背景技術】
【０００２】
現在、パチンコ店等の遊技場に設置して使用されるパチンコ機の多くは、遊技者が一方の手（例えば右手）で操作ハンドルを所定量回転操作することにより、発射装置が作動され、遊技領域へ遊技球が打ち出されるようになっている。
【発明の開示】
【発明が解決しようとする課題】
【０００３】
しかしながら、従来のパチンコ機では、遊技者が手の重さを自力で支えながら操作ハンドルを操作するため、長時間に亘って遊技を行った場合、遊技者の手首や腕等が疲労するという問題があった。
【０００４】
本発明は、上記問題を考慮してなされたもので、遊技者の手にかかる負担を軽くし、遊技中の疲労を軽減させることができるようにした弾球遊技機を提供することを目的とする。
【課題を解決するための手段】
【０００５】
上記目的を達成するために、本発明の弾球遊技機は、遊技領域を有する遊技盤と、この遊技盤に対して遊技球を発射する遊技球発射装置と、この遊技球発射装置を作動させるために操作する発射操作部材とを有するものであり、発射操作部材に、遊技者の手の少なくとも一部、または手首から腕にかけた部分の少なくとも一部を載せながら発射操作部材の操作を行うことを可能にする手載せ部材を設けるとともに、手載せ部材に所定量以上の加重負荷が与えられた場合には、手載せ部材を加重負荷が与えられている方向に退避移動させる退避移動機構を設けることを特徴とするものである。これにより、遊技中、遊技者は手、または手首、または腕の一部などを手載せ部材に載せることができるようになり、手にかかる負担を軽減することができる。また、発射操作部材には、手載せ部材に所定量以上の重さが加えられた場合、その重さを逃がすように手載せ部材が組み付けられているので、手載せ部材、あるいは手載せ部材と接続している発射操作部材の破損を防ぐことができる。
【０００６】
また、手載せ部材は、手首近傍を保持するように形成されていることが好ましい。これにより手載せ部材で手首を支えることが可能となり、楽な体勢で発射操作部材を操作することができるようになる。
【０００７】
また、  前記発射操作部材を、軸部と、この軸部を回動中心として回動し、その回動具合に応じて遊技球発射装置の発射力を可変する回動部と、この回動部の前記軸部からの抜けを防止し、且つ遊技用把手として機能する把手部とから構成し、前記把手部または前記軸部に、前記手載せ部材および前記加重負荷開放機構を設けることが好ましい。また、手載せ部材を軸部に設ける場合には、手載せ部材は軸部の下部から前方にかけて突出するように設けられると好適である。
【０００８】
また、前記手載せ部材を着脱可能に設けることが好ましい。これにより弾球遊技機や発射操作部材を輸送する場合、弾球遊技機や発射操作部材とは別個にして手載せ部材を梱包して輸送することができ、梱包サイズを小型化できる。加えて、輸送時に起こる虞のある外的衝撃による破損を未然に防止することもできる。
【発明の効果】
【０００９】
本発明の弾球遊技機によれば、発射操作部材に、遊技者の手の少なくとも一部、または手首から腕にかけた部分の少なくとも一部を載せながら発射操作部材の操作を行うことを可能にする手載せ部材を設けるとともに、手載せ部材に所定量以上の加重負荷が与えられた場合には手載せ部材を加重負荷が与えられている方向に退避移動させる退避移動機構を設けたので、手にかかる負担を軽減することができ、長時間の遊技でも疲れないようにすることができ、さらに、手載せ部材に所定量以上の重さが加えられた場合には、手載せ部材、あるいは手載せ部材と接続している発射操作部材の破損を防ぐことができる。
【発明を実施するための最良の形態】
【００１０】
以下、本発明の第１の実施形態を図面に基づいて説明する。図１に弾球遊技機であるパチンコ機の外観を示す。パチンコ機２の本体枠３の内部には遊技盤４が配設されており、遊技盤４上にはガイドレール５に囲まれた遊技領域４ａが形成されている。遊技盤４の前面には前面扉６が設けられている。前面扉６は上扉６ａと下扉６ｂとから構成されており、上扉６ａと下扉６ｂとはヒンジにより本体枠３に開閉自在に取り付けられている。下扉６ｂには、打球供給用の供給皿７及び、下扉６ｂの後方に備えられた遊技球を発射する遊技球発射装置（不図示）を作動させるために操作する操作ハンドル９（発射操作部材）が設けられている。遊技者は供給皿７に遊技球を投入し、操作ハンドル９を操作して、遊技盤４上の遊技領域４ａに対して遊技球を打ち出す。遊技球を打ち出す強さは操作ハンドル９の操作によって調節される。
【００１１】
遊技盤４上に形成された遊技領域４ａの中央には、図柄表示装置１０が設けられ、その他に、始動入賞口１１、通常入賞口１２、アタッカ１３、アウト口１４が設けられている。なお、遊技領域４ａ内を流下する遊技球は、始動入賞口１２または通常入賞口１３またはアタッカ１４等の所定入賞口のいずれかに入賞するか、あるいはアウト口１４から回収される。なお、パチンコ機における釘、風車などの構造物は公知であるので説明は省略する。また、この遊技領域４ａは、上扉６ａが閉じている場合には、上扉６ａの後面側に取り付けられるガラス枠（不図示）のガラス１５を通して視認することができるが、この状態では遊技領域４ａに形成された構造物には触れることができないようになっている。
【００１２】
図１及び図２に示すように、操作ハンドル９は、合成樹脂の成形品である軸部２０、回動部２１、把手部２２から構成される。軸部２０は、下扉６ｂの裏面からビス締め固定などにより下扉６ｂの前面に固定される。回動部２１は、軸部２０が回動中心となるように軸部２０に回動自在に組み付けられており、この回動部２１を回動させることにより前記遊技球発射装置の発射力は変化する。
【００１３】
把手部２２は略半球状に形成されており、前面に切り欠き２２ａが形成されている。さらに、その切り欠き２２ａには後述する手載せ部材２３を係止するための凹部２２ｂが形成されている。把手部２２は、工業用接着剤により回動部２１の前方にて軸部２０に固着されており、回動部２１の軸部２２からの抜けを防止している。遊技者はこの把手部２２に手のひらや指の付け根などを当てながら指先で回動部２１を操作する。なお、把手部２２を軸部２０に固着させる方法は、工業用接着剤による固着方法に限ることなく、かしめ結合、溶着などの公知の固着方法により固着されていれば良い。また、軸部２０と把手部２２とを一体に成形し、これに回動部２１を組み付けるようにしても良い。
【００１４】
把手部２２の前面には、滑らかな傾斜面２３ａを有する手載せ部材２３がヒンジ２４により回動自在に取り付けられている。また、この手載せ部材２３の傾斜面２３ａは回動部２１を回動操作する手の付け根付近（手首近傍）が違和感なくフィットされるような曲面形状に形成されており、図２に示すように、手載せ部材２３の使用時には、把手部２２の前面と手載せ部材２３の傾斜面２３ａとで滑らかな傾斜が形成される。また、手載せ部材２３には、把手部２２の前面に形成された凹部２２ｂに対応するように可撓性を有する凸部２３ｂが形成されている。この凸部２３ｂが把手部２２の凹部２２ｂに嵌合することにより手載せ部材２３は把手部２２に係止される。
【００１５】
このように構成されることで、図３に示すように、手載せ部材２３に上方から所定量以上の加重負荷がかかると、手載せ部材２３はヒンジ２４を軸にして加重付加が与えられている方向（２点鎖線矢印の方向）に回転（退避移動）し、これにより手載せ部２３にかかった加重負荷が下方へ解放される。このように退避移動機構は、ヒンジ２４、手載せ部材２３の凸部２３ｂ、および把手部２２の凹部２２ｂによって構成される。
【００１６】
次に上記のように構成されたパチンコ機の作用について説明する。操作ハンドル９の把手部２２には手首近傍が違和感なくフィットされるような形状を有する手載せ部材２３がヒンジ２４により回動自在に取り付けられる。手載せ部材２３の凸部２３ｂを把手部２２の凹部２２ｂに嵌合させ、手載せ部材２３を把手部２２に係止させる。遊技者は手載せ部材２３に手首を載せて指先だけで回動部２１の回動操作を行う。このように手載せ部材２３が手首を下から支えることにより、遊技者の手や腕にかかる負担を軽くすることができ、長時間の遊技でも疲れないようにすることができる。
【００１７】
また、遊技者が手載せ部材２３に対して上方から力を加えた場合や手載せ部材２３に重い物が載せられた場合には、手載せ部材２３の凸部２３ｂと把手部２２の凹部２２ｂとの嵌合が解かれ、手載せ部材２３はヒンジ２４を軸にして回転し、手載せ部材２３に加えられている加重負荷が下方に解放される。これにより、手載せ部材２３の破損を防止することができる。
【００１８】
なお、上記実施形態では、退避移動機構を、ヒンジ２４、手載せ部材２３の凸部２３ｂ、および把手部２２の凹部２２ｂによって構成したが、これに限ることなく、図４に示すように、ヒンジ２４および捻りコイルバネ２５で構成しても良い。手載せ部材２３を把手部２２の前面にヒンジ２４によって軸着するとともに、ヒンジ２４に捻りコイルバネ２５を取り付け、この捻りコイルバネ２５の一端２５ａを手載せ部材２３に固着し、他端２５ｂを把手部２２に固着する。これにより図中の２点鎖線矢印方向に手載せ部材２３は付勢される。手載せ部材２３に上方から所定量以上の加重負荷がかけられた場合には、手載せ部材２３は捻りコイルバネ２５の付勢に抗して回転し、加重負荷が下方に解放される。また、上記実施形態で採用した凹部２２ｂおよび凸部２３ｂと、捻りコイルバネ２５とを組み合わせることによって退避移動機構を構成しても良い。
【００１９】
また、手載せ部材２３を把手部２２に着脱可能に装着しても良い。例えば、手載せ部材２３とヒンジ２４とを一体に構成し、ヒンジ２４の長手方向の中央に雄ネジを形成する。この雄ネジと対応するように把手部２２の前面に雌ネジを形成する。雄ネジを雌ネジに螺合させることにより、手載せ部材２３は把手部２２に着脱可能に装着される。このように構成することで、操作ハンドル９や操作ハンドル９が装着されたパチンコ機２を輸送する際、手載せ部材２３だけを把手部２２から取り外して持ち運ぶことが可能となり、輸送時に起こる可能性のある外的衝撃による手載せ部材２４の破損を防ぐことができる。
【００２０】
また、図２より明らかなように、手載せ部材２３は供給皿７の前面側より遊技者側（図２における左側）にやや出っ張った形状となっている。これは手や腕にかかる負担を軽くするためであるが、このように構成されたパチンコ機２をそのまま梱包する場合には、出っ張り部分を覆うだけの梱包資材が必要となり、梱包サイズが大きくなってしまう。しかしながら、本実施形態の如く、手載せ部材２３を着脱可能に構成することにより、梱包サイズを小型化することができるようになる。
【００２１】
手載せ部材２３を把手部２２に着脱させる方法は、上述したようなネジ構造による着脱方法に限ることなく、可撓性を有する凸凹を形成して着脱させても良く、手載せ部材２３に手を載せた際、手載せ部材２３に加わる加重に耐えることができ、且つ回動自在となるるように手載せ部材２３が組み付けられていれば、手載せ部材２３を把手部２２に着脱させる方法はどのようなものであっても良い。
【００２２】
次に本発明の第２の実施形態について説明する。なお、第１の実施形態と同一の構成及び作用を有する部材については、同一の符号を付してその説明を省略する。図５に示すように、操作ハンドル９は、軸部２０と回動部２１と把手部２２とから構成される。把手部２２は略半球状に形成されている。軸部２０には手載せ部材２６が設けられている。手載せ部材２６は手載せ部２６ａと取り付け部２６ｂとから構成される。取り付け部２６ｂは軸部２０の下部に下方に突出するように形成されている。手載せ部２６ａは、遊技者の手首が違和感なくフィットするような形状に形成されており、取り付け部２６ｂの先端部にヒンジ２７により回動自在に取り付けられている。また、図６に示すように、ヒンジ２７には捻りコイルバネ２８が取り付けられており、この捻りコイルバネ２８の一端２８ａは手載せ部２６ａに固着され、他端２８ｂは取り付け部２６ｂに固着される。これにより手載せ部２６ａは、図６の実線矢印の方向に付勢される。
【００２３】
このような構成にすることで、第１の実施形態と同様に、遊技者は手載せ部２６ａに手首を載せ、把手部２２に手のひらを当て、指先だけで回動部２１の回動操作を行うことが可能になる。さらに、手載せ部２６ａに遊技者が過大な力を加えたり、あるいは重い荷物などが載せられた場合には、手載せ部２６ａがヒンジ２７を軸に、捻りコイルバネ２８の付勢に抗して回転し、手載せ部２６ａにかけられた加重負荷が下方に逃がされる。
【００２４】
第２の実施形態では、退避移動機構をヒンジ２７と捻りコイルバネ２８とで構成したが、第１の実施形態と同様にして、手載せ部２６ａと取り付け部２６ｂの一方に凸部を、他方に凹部を設け、凸部、凹部、ヒンジ２７により退避移動機構を構成しても良く、手載せ部２６ａにかけられた過大な加重負荷を下方に逃がすように構成されていれば、その形態はどのようなものであっても良い。
【００２５】
また、第２の実施形態においても第１の実施形態と同様に、手載せ部２６ａを取り付け部２６ｂに対して着脱可能に装着しても良く、これにより、輸送時には、手載せ部材２６ａを別個にして梱包し輸送することができるので、輸送時に起こる可能性のある手載せ部２６ａの破損を防止することが可能となる。また、手載せ部２６ａを着脱可能に構成することにより、パチンコ機２の梱包サイズを小型化することができるようになる。
【００２６】
なお、上記実施形態では、軸部２０、あるいは把手部２２に手載せ部材を設けたが、図７に示すように、操作ハンドル９下方の下扉６ｂの前面に手載せ部材２６を設けても良い。このような構成にしても上記実施形態と同様の効果を得ることができる。
【００２７】
また、上記実施形態では、手載せ部材２３、手載せ部２６ａのみを着脱可能とした構成を説明したが、操作ハンドル９全体を着脱可能な構成にすることも輸送時や梱包時の破損防止の観点では有効である。
【図面の簡単な説明】
【００２８】
【図１】本発明の第１の実施形態であるパチンコ機の外観を示す斜視図である。
【図２】図１に示したパチンコ機における操作ハンドル及びその周辺の様子を示す右側面図である。
【図３】手載せ部材がヒンジを軸にして回動した場合のパチンコ機下部の様子を示す右側面図である。
【図４】加重負荷開放機構をヒンジと捻りコイルバネとで構成した場合のパチンコ機下部の様子を示す右側面図である。
【図５】本発明の第２の実施形態であるパチンコ機における操作ハンドル及びその周辺の様子を示す右側面図である。
【図６】図５に示した手載せ部材がヒンジを軸にして回動した場合の操作ハンドル及びその周辺の様子を示す右側面図である。
【図７】下扉の前面に手載せ部材を設けた場合のパチンコ機下部の様子を示す右側面図である。
【符号の説明】
【００２９】
２  パチンコ機
４  遊技盤
９  操作ハンドル
２０  軸部
２１  回動部
２２  把手部
２２ｂ  凹部
２３、２６、２８  手載せ部材
２３ｂ  凸部
２４、２７  ヒンジ
２５、２８  捻りコイルバネ
【図１】
2005052561.tif 000003
【図２】
2005052561.tif 000004
【図３】
2005052561.tif 000005
【図４】
2005052561.tif 000006
【図５】
2005052561.tif 000007
【図６】
2005052561.tif 000008
【図７】
2005052561.tif 000009